【手続補正書】
【提出日】平成16年2月13日(2004.2.13)
【手続補正１】
【補正対象書類名】明細書
【補正対象項目名】請求項１
【補正方法】変更
【補正の内容】
【請求項１】
茶樹畝を跨ぐ門型フレームで構成される車体本体と、
前記車体本体に連結され畝間を走行するクローラ型の走行装置と、
前記車体本体に対し上下動可能に配設され、少なくとも、上記茶樹畝の頂面の半分を覆うことができる長さの摘採部と、摘採された茶葉を後方へ送り込む送風手段とを有した摘採装置と、
前記摘採装置の後方に配設され、前記摘採装置により圧送された茶葉を収容する収容体を搭載する荷台と、
上記門型フレームに支持され上記収容体を搭載できる荷受部材と、
上記荷台上の収容体を運搬可能な運搬手段と、を具備していることを特徴とする簡易式乗用型茶葉摘採機。
【手続補正２】
【補正対象書類名】明細書
【補正対象項目名】請求項２
【補正方法】変更
【補正の内容】
【請求項２】
上記荷台はヒンジ部を介在して茶畝方向に長い構成とし、該荷台をヒンジ部により折り畳み可能にしたことを特徴とする請求項１記載の簡易式乗用型茶葉摘採機。
【手続補正３】
【補正対象書類名】明細書
【補正対象項目名】０００８
【補正方法】変更
【補正の内容】
【０００８】
【課題を解決するための手段】
上記の目的を達成するため、請求項１記載の発明は、茶樹畝を跨ぐ門型フレームで構成される車体本体と、前記車体本体に連結され畝間を走行するクローラ型の走行装置と、前記車体本体に対し上下動可能に配設され、少なくとも、上記茶樹畝の頂面の半分を覆うことができる長さの摘採部と、摘採された茶葉を後方へ送り込む送風手段とを有した摘採装置と、前記摘採装置の後方に配設され、前記摘採装置により圧送された茶葉を収容する収容体を搭載する荷台と、上記門型フレームに支持され上記収容体を搭載できる荷受部材と、上記荷台上の収容体を運搬可能な運搬手段と、を具備してなることを特徴としている。


【手続補正４】
【補正対象書類名】明細書
【補正対象項目名】０００９
【補正方法】変更
【補正の内容】
【０００９】
請求項２記載の発明は、上記荷台はヒンジ部を介在して茶畝方向に長い構成とし、該荷台をヒンジ部により折り畳み可能にしたことを特徴としている。


【手続補正５】
【補正対象書類名】明細書
【補正対象項目名】００１４
【補正方法】変更
【補正の内容】
【００１４】
【実施例】
以下、図実施例により本発明の詳細を説明する。
図１は、本発明による簡易式乗用型摘採機の実施例を示す斜視図であり、同図において簡易式乗用型摘採機（便宜上、摘採機ともいう）１は、車体本体２と、走行装置３と、摘採装置４と、荷台５と、荷受部材６と、運搬手段９とを備えて構成されている。


【手続補正６】
【補正対象書類名】明細書
【補正対象項目名】００２０
【補正方法】変更
【補正の内容】
【００２０】
上記摘採装置４は、支持フレーム４１，４１の両側端部に対をなす側板４２，４２を備えており、この側板４２，４２間の下部前側に、茶樹畝の頂面の幅全域を覆うことが可能な円孤状のバリカン刃からなる刈刃４３が往復動自在に支持されている。また該摘採装置４の左右両端には、エンジン４４，４５が配設されており、該エンジン４４，４５には送風管４６が連通されている。そしてエンジン４４は前記刈刃４３を往復動させると同時に送風管に空気を送り込み、エンジン４５は送風管に空気を送込む専用のものである。支持フレーム４１は、後述する茶袋等の収容体の開口端部を取り付けるための箇所として用いられる。なお、送風管４６への送風源および刈刃４３の往復動駆動源は、上記したエンジン４４、４５が用いられるのに限らず、単一エンジンを用い、そのエンジンからの駆動力を各駆動源として用いるように構成することも可能である。
上記送風管４６には、複数のノズル４６ａが設けられており、刈刃４３の上方から、刈刃４３の後方に向け圧力風を吹き付け、刈刃４３により摘採された茶葉を後方に吹き飛ばすように，所定間隔に配設されている。また摘採装置４の後部開口部の底面として案内板４９が着脱自在に連結されている。


【手続補正７】
【補正対象書類名】明細書
【補正対象項目名】００２３
【補正方法】変更
【補正の内容】
【００２３】
一方、荷受部材６は、連結フレーム２５の上面に位置する支柱部材２５Ａおよび車体後側の門型フレーム２２によって長手方向一端および中央部をそれぞれ支持されている上部および車体前後端部を除く底枠６Ａ、固定側枠６Ｂ、可動側枠６Ｃを備え、茶袋等の収容体を搭載できる大きさとされている。
図４に示すように、底枠６Ａには、門型フレーム２２および支柱部材２５Ａと対応する位置に垂直方向に垂下するブラケット６Ａ１が設けられており、このブラケット６Ａ１は、門型フレーム２２の対応部に設けられている係止部および支柱部材２５Ａに対して挿脱可能な係止ピン６Ｄを挿入することにより一体化されている。係止ピン６Ｄが抜き去られると底枠６Ａが門型フレーム２２および支柱部材２５Ａから取り外すことができる。また、支柱部材２５Ａ側に位置する係止ピン６Ｄを抜き去ると、門型フレーム２２側を支点として、図１において二点鎖線で示すように、副荷台５Ａ側が下になるように荷受部材６を傾けることができる。


【手続補正８】
【補正対象書類名】明細書
【補正対象項目名】００２４
【補正方法】変更
【補正の内容】
【００２４】
枠体のうちで、車体内側に位置する固定側枠６Ｂは底枠６Ａと一体化されて形成されている一方、車体外側に位置する可動側枠６Ｃは底枠６Ａに対して揺動することができるようになっている。
図５（Ａ）に示すように、底枠６Ａの車幅方向外側に位置する枠部材と可動側枠６Ｃの最底部の枠部材とは同一位置とされ、同一位置にある枠部材は互いに係脱可能に支持されている。
つまり、図５（Ｂ）は、係脱機構の構造原理を示すために底枠６Ａと可動側枠６Ｃとを展開して示した模式図であり、同一位置にある枠部材（便宜上、底枠６Ａ側の枠部材を符号６Ａ２で示し、可動側枠６Ｃ側の枠部材を符号６Ｃ１で示す）は係脱可能なクラウンギヤ７の一方７Ａおよび他方７Ｂにそれぞれ連結されている。クラウンギヤ７の一方７Ａおよび他方７Ｂのうち、一方７Ａは底枠６Ａの枠部材６Ａ２に、そして他方７Ｂは可動側枠６Ｃの枠部材６Ｃ１にそれぞれ連結され、可動側枠６Ｃを車体前後方向に動かすことで図５（Ｂ）および（Ｃ）に示すように、クラウンギヤ７の噛み合いおよび噛み合い解除ができるようになっている。
車体本体２に有する支柱部材２５Ａ側に位置するクラウンギヤ７の他方７Ｂ外表面には、車体本体２の不動部に支持されているＬ字状レバーからなるトグルレバー８が配置されている。トグルレバー８は、力点を操作ハンドル部８Ａとされ、作用点８Ｂがクラウンギヤ７の他方７Ｂに対向するように位置決めされており、作用点８Ｂがクランウンギヤ７の他方７Ｂに対向当接することでクラウンギヤ７の他方７Ｂを押圧し、そして、作用点８Ｂがクラウンギヤ７の他方７Ｂから離れると、図５（Ｃ）に示すように、クラウンギヤ７の他方７Ｂが内部に挿通されている支軸に沿って移動することができる。図５（Ｃ）に示した状態では、可動側枠６Ｃ１を揺動させることができ、所望する角度に可動側枠６Ｃを揺動させた後、再度トグルレバー８を揺動操作して作用点８Ｂをクラウンギヤ７の他方７Ｂに押圧させることで噛み合わせてその態位を保持する。


【手続補正９】
【補正対象書類名】明細書
【補正対象項目名】００２５
【補正方法】変更
【補正の内容】
【００２５】
次にこのように構成される簡易式乗用型摘採機１の作業形態を説明する。
まず、シリンダ５２のプランジャ５２Ａを伸長させ、副荷台５Ａを展開して、荷台５上に茶袋等の収容体（図示せず）を載置する。収容体は、摘採装置４に有する支持フレーム４１に開口端部が取り付けられて配置される。そして作業者が簡易式乗用型摘採機１に乗り込んで操縦席２６に着席し、操縦部２７を操作して、適宜な茶畝を跨いで簡易式乗用型茶葉摘採機１を茶園に乗入れる。また、茶園に乗り入れるに先立ち、荷受部材６には未収容の収容体を準備しておく。
次に操縦部２７を操作して、昇降モータ４８を駆動して摘採装置４および荷台５を上下動して摘採位置を決定するのに引続いて、エンジン４４，４５を始動させて摘採装置４を稼働する。さらに、操縦部２７に設けられているエンジン制御用のアクセル（図示されず）を操作することにより油圧モータ３４へのオイルの供給を開始して走行装置３を走行させて摘採作業を行う。
ここで摘採装置４により摘採された茶葉は、摘採装置４に設けられた送風管４６のノズル４６ａからの圧送空気により後方に圧送され、荷台５上に設けられた収容体に収容されるようになる。荷台５は長いため、大型の収容体を搭載することができ、１列の茶畝において収容体を交換することなく、摘採作業を行うことができる。


【手続補正１０】
【補正対象書類名】明細書
【補正対象項目名】００２７
【補正方法】変更
【補正の内容】
【００２７】
荷台５上に配置されている収容体が茶葉で満たされた場合、その収容体が運搬手段９を用いて荷受部材６に移送される。
つまり、作業者は、荷台５上の収容体の位置に合うように運搬手段９を位置決めする。この場合には、支持台１０において、摺動部を上昇させて運搬手段９を荷台５上の収容体の上方に位置させ、さらに運搬手段９のジブを伸張態位に設定して収容体の懸垂位置に対向させる。
運搬手段９の位置決めが終了すると、牽引手段９Ａを駆動して牽引部材９Ｂを垂下し、懸垂部材９Ｃを収容体に懸垂可能な状態にする。
収容体は、牽引手段９Ａの巻き取り操作が行われると上昇し、その状態から運搬手段９のジブが荷受け部材６に向け押し動かされると、図１中、二点鎖線で示すように、荷受け部材６上に収容体を搭載できる状態とされる。搭載に際しては、牽引手段９Ａによって牽引部材９Ｂを垂下させる。


【手続補正１１】
【補正対象書類名】明細書
【補正対象項目名】００２９
【補正方法】変更
【補正の内容】
【００２９】
本実施例によれば、走行装置３に備えられているゴムクローラ３３は、エンジン６０によって駆動されるオイルポンプ６２からのオイルの供給を受ける油圧モータ３４で駆動されるので、駆動系の構造として駆動力伝達構造を要することなく単純な配管処理ですむ。これにより、構造の簡略化とともに、車体重量の増加を抑制することが可能になる。
なお、上記実施例では、運搬手段９を門型フレーム２２の幅方向中央に位置させた構成を示したが、この位置に限らず、幅方向一側に揺動支点を位置させたり、あるいは、門型フレームの縦方向支柱部にそれぞれ運搬手段９を配置するようにしてもよい。
また、摘採装置４の構成として、茶樹畝の頂面の幅全域を覆うことができる刈刃４３を備えた構成としているが、刈刃４３の長さを茶樹畝の幅全域ではなく、半分の領域を対象とすることも勿論可能である。
さらに、走行装置３はゴムクローラ型として説明したが、キャタピラ式を用いてもよく、しかも、摘採装置４はバリカン刃式に限らず、シリンダ型のロータ刃を用いたものにしてもよい。